(57)【特許請求の範囲】
【請求項１】
軸部と、該軸部の軸線先端方向に、その内底面において垂直方向に形成される複数の櫛歯を並設してなる塗布部とから構成され、
該塗布部の内底面において並設される複数の櫛歯の全部又は一部を、塗布部の一端側から他端側へ又は両端から中央へ向けて、塗布部の内底面へ正対して、軸部の軸線の延長線上にある仮想軸線と櫛歯の幅方向との内角が鋭角を形成するように配置してなるものであって、
塗布部における複数の櫛歯の幅方向が両端より順次、該塗布部において内底面上の仮想軸線における垂線上の複数の焦点に対して上方から下方の焦点へと順次対応するように収束するものとする
ことを特徴とする液状化粧料塗布体。
【請求項２】
上記塗布部の複数の櫛歯の全部又は一部を、塗布部の一端側から他端側へ又は両端から中央へ向けて、塗布部の内底面へ正対して、軸部の仮想軸線と櫛歯の幅方向との内角が鋭角を形成するように配置してなる際に、該櫛歯の幅方向が液状化粧料塗布方向後方に向かって拡開するようにしてなる
ことを特徴とする請求項１記載の液状化粧料塗布体。
【請求項３】
上記軸部の軸線先端方向において形成される塗布部を、軸部の仮想軸線を中心として互いに対向して位置するようにしてなる
ことを特徴とする請求項１又は請求項２記載の液状化粧料塗布体。
【発明の詳細な説明】
【技術分野】
【０００１】
本願発明は、マスカラ、睫毛美容液等（以下、「液状化粧料」という。）の塗布の他、睫毛を梳かして整えることにも供することができる液状化粧料塗布体に関する。
【背景技術】
【０００２】
従来、液状化粧料塗布体には、睫毛を梳かしつつ上記液状化粧料を塗布できるように、軸部と、該軸部の軸線先端方向において、軸部の軸線延長線上の仮想軸線と同一平面上に形成される平坦な塗布部とからなり、該塗布部では、その内底面において軸部の軸線延長線上の仮想軸線に対して直交するよう複数の櫛歯を互いに平行となるように並設してなるものがある（特許文献１参照）。
【０００３】
ところで、上記液状化粧料を塗布する睫毛は、その表面が外方に向けて湾曲している目蓋において放射状に生えているものである。
従って、上記液状化粧料塗布体によって睫毛に液状化粧料を塗布しようとすると、放射状に生えている睫毛は、互いに平行となるように並設される複数の櫛歯間に入り込みにくいので、塗布部の櫛歯は睫毛を確実に梳かし難くなるものである。
そのため、睫毛全体に対して液状化粧料の塗布しようとすると、睫毛を部分ごとに分けて櫛歯の先端を使用して液状化粧料を塗布するという作業を繰り返せざるを得なくなり、塗布作業が非常に煩雑となる上、均一な液状化粧料の塗布も困難になるものである。
さらに、睫毛に不均一に塗布された液状化粧料によって、睫毛同士は接着して束になり易く、ダマが形成されてしまう不具合も生じ易いものである。
【０００４】
また、液状化粧料塗布体には、塗布部の内底面を櫛歯先端方向へ突出するように湾曲させるものもあり、その塗布部の複数の櫛歯では塗布部の内底面の形状に沿って放射状に並設されている。
そのため、塗布部内の複数の櫛歯間に対して放射状に生えている睫毛は容易に入り込み、確実に睫毛を梳かすことができるものとなる。
しかしながら、上記液状化粧料塗布体の塗布部における複数の櫛歯が放射状に並設されているので、睫毛の根元方向に移動させづらく睫毛全体に対して均一に液状化粧料を塗布することがより困難になる上、それに抗して睫毛の根元方向へ櫛歯を移動させようとすると、放射状の櫛歯によって睫毛の根元を押し広げてしまうので隣接する睫毛同士が接着して束になり易く、ダマが形成されてしまう不具合も生じ易いものでもある。
【先行技術文献】
【特許文献】
【０００５】
【特許文献１】特開２００９−１２５１６０号公報
【発明の概要】
【発明が解決しようとする課題】
【０００６】
本願発明が解決しようとする課題は、湾曲する目蓋において放射状に生える睫毛を確実に梳かしつつ均一に、しかも迅速に液状化粧料を塗布することができず、さらに睫毛同士の接着、ダマの形成を防止できない点である。
【課題を解決するための手段】
【０００７】
第１の特徴として、
軸部と、該軸部の軸線先端方向に、その内底面において垂直方向に形成される複数の櫛歯を並設してなる塗布部とから構成され、
該塗布部の内底面において並設される複数の櫛歯の全部又は一部を、塗布部の一端側から他端側へ又は両端から中央へ向けて、塗布部の内底面へ正対して、軸部の軸線の延長線上にある仮想軸線と櫛歯の幅方向との内角が鋭角を形成するように配置してなるものであって、
塗布部における複数の櫛歯の幅方向が両端より順次、該塗布部において内底面上の仮想軸線における垂線上の複数の焦点に対して上方から下方の焦点へと順次対応するように収束するものである。
【０００８】
そのため、塗布部の内底面において、塗布部の内底面へ正対して、軸部の仮想軸線と櫛歯の幅方向との内角が鋭角を形成するように配置される複数の櫛歯は、その幅方向の延長線が収束するように放射状となるものである。
その結果、睫毛に対して液状化粧料を塗布する際には、放射状に生えている睫毛間、特に睫毛の根元に対して上記櫛歯は入り込み易くなるので、睫毛全体を確実に梳かすことができる。
【０００９】
それとともに、該塗布部の櫛歯先端が、睫毛の根元まで入り込んでも睫毛を最小限しか押し広げないので、睫毛全体に対して液状化粧料を均一に、しかも迅速に塗布できるとともに、睫毛同士が接着して束となったり、ダマが形成されてしまうことを防止することができるものである。
【００１０】
なお、塗布部における軸部の仮想軸線は、該塗布部が軸部と同一平面上に形成されていれば軸部の仮想軸線と塗布部の軸線とは一致するので、櫛歯の幅方向は塗布部の軸線とともに鋭角の内角を形成するものであるが、塗布部が櫛歯先端方向に湾曲している場合には、軸部の仮想軸線と塗布部の軸線とは一致しないので、櫛歯の幅方向と鋭角の内角を形成するのはあくまでも軸部の軸線の延長線上である仮想軸線となる。
【００１１】
その上、塗布部の内底面において軸部の仮想軸線に対して櫛歯の幅方向がなす内角の鋭角が一端又は両端から他端又は中央に向かって同一の角度で拡開するように配置されるものとなることで、塗布部の複数の櫛歯によって梳かされた睫毛は液状化粧料塗布方向後方に向かって拡開しつつ、しかも等間隔に維持されるものとなるので、睫毛に対する装飾性をも同時に向上させることができるものとなる。
【００１２】
第１の特徴を踏まえて、第２の特徴として、
上記塗布部の複数の櫛歯の全部又は一部を、塗布部の一端側から他端側へ又は両端から中央へ向けて、塗布部の内底面へ正対して、軸部の仮想軸線と櫛歯の幅方向との内角が鋭角を形成するように配置してなる際に、該櫛歯の幅方向が液状化粧料塗布方向後方に向かって拡開するようにしてなるものである。
【００１３】
そのため、第１の特徴の場合とともに、塗布部において放射状に配置されている複数の櫛歯が睫毛を梳かす際に睫毛の根元から末端まで追従して、梳かされた睫毛は左右方向に拡開するものとなるので、隣り合う睫毛同士が接着して束となることを防止し、ダマが形成されることをより確実に防止できるものである。
【００１４】
ここで、塗布部において並設される複数の櫛歯の全部において、塗布部の一端側から他端側へ向けて、塗布部の内底面へ正対して、軸部の仮想軸線と櫛歯の幅方向との内角が鋭角を形成して液状化粧料塗布方向後方に向かって拡開するように配置することによって、塗布部の櫛歯全体が一端側から他端側への放射状になるので、睫毛の一部にのみ液状化粧料を塗布する際に最適なものとなる。
また、塗布部において並設される複数の櫛歯の一部において、塗布部の一端側から他端側へ向けて、塗布部の内底面へ正対して、軸部の仮想軸線と櫛歯の幅方向との内角が鋭角を形成して液状化粧料塗布方向後方に向かって拡開するように配置することによって、一つの塗布部において複数種類の櫛歯、例えば軸部の軸線と櫛歯の幅方向とが直交する部分と鋭角を形成する部分とが存在することになるので、一つの塗布部によって液状化粧料の多様な塗布を可能にするものである。
【００１５】
そこで、第１の特徴又は第２の特徴を踏まえて、第３の特徴として、
上記軸部の軸線先端方向において形成される塗布部を、軸部の仮想軸線を中心として互いに対向して位置するようにしてなるものである。
【００１６】
そのため、互いに対向するように軸部の軸線方向先端において形成される塗布部では、軸部の仮想軸線に対して線対称となるように配置されるものとなる。
その結果、第１の特徴又は第２の特徴の場合とともに、上目蓋の睫毛に対して液状化粧料を塗布した後、他方側の塗布部を下目蓋の睫毛に使用することによって持ち手を代えず、連続的に液状化粧料を塗布することができ、また、逆手でもっても同様にして液状化粧料を塗布することができるものである。
【発明の効果】
【００１７】
本願発明は、該塗布部の内底面において並設される複数の櫛歯の全部又は一部を、塗布部の一端側から他端側へ又は両端から中央へ、塗布部の内底面へ正対して、軸部の仮想軸線と櫛歯の幅方向との内角が鋭角を形成するように配置するので、該櫛歯の幅方向先端が睫毛の根元まで入り込んで確実に睫毛を梳かすことができるとともに、均一に、しかも迅速に液状化粧料が塗布されるので、隣り合う睫毛同士が接着して束となり、ダマが形成されてしまうことをも防止できる優れた効果を有する。
【図面の簡単な説明】
【００１８】
【図１】図１は、本願発明の実施例１である液状化粧料塗布体を具える化粧料容器の拡大断面図である。
【図２】図２は、本願発明の実施例１である液状化粧料塗布体を具える化粧料容器を構成するキャップの正面図である。
【図３】図３（イ）は本願発明の実施例１である液状化粧料塗布体の要部拡大正面図、端面図（ロ）は同右側面図、及び（ハ）は同左側面図である。
【図４】図４は本願発明の実施例１である液状化粧料塗布体の塗布部における複数の櫛歯方向を示す模式図である。
【図５】図５（イ）は本願発明の実施例２である液状化粧料塗布体の要部拡大正面図、端面図（ロ）は同右側面図、及び（ハ）は同左側面図である。
【図６】図６は本願発明の実施例２である液状化粧料塗布体の塗布部における複数の櫛歯方向を示す模式図である。
【図７】図７（イ）は本願発明の実施例３である液状化粧料塗布体の要部拡大正面図、端面図（ロ）は同右側面図、及び（ハ）は同左側面図である。
【図８】図８は本願発明の実施例３である液状化粧料塗布体の塗布部における複数の櫛歯方向を示す模式図である。
【図９】図９（イ）は本願発明の実施例４である液状化粧料塗布体の要部拡大正面図、端面図（ロ）は同右側面図、及び（ハ）は同左側面図である。
【図１０】図１０は本願発明の実施例４である液状化粧料塗布体の塗布部における複数の櫛歯方向を示す模式図である。
【図１１】図１１（イ）は本願発明の実施例５である液状化粧料塗布体の要部拡大正面図、端面図（ロ）は同右側面図、及び（ハ）は同左側面図である。
【図１２】図１２は本願発明の実施例５である液状化粧料塗布体の塗布部における複数の櫛歯方向を示す模式図である。
【発明を実施するための形態】
【００１９】
目蓋において放射状に生える睫毛を確実に梳かしつつ均一に、しかも迅速に液状化粧料を塗布するとともに、さらに液状化粧料を塗布した後の睫毛を左右に拡開させることによって睫毛同士が接着して束となり、ダマが形成されてしまわないように、塗布部の内底面において並設される複数の櫛歯の全部又は一部を、塗布部の一端側から他端側へ又は両端から中央へ向かって、塗布部の内底面へ正対して、軸部の仮想軸線と櫛歯の幅方向との内角が鋭角を形成するように配置するものである。
【実施例１】
【００２０】
図１〜図４において示すのは、本願発明の実施例１である液状化粧料３を塗布する液状化粧料塗布体８を具える液状化粧料塗布容器１であり、該液状化粧料塗布容器１は、キャップ６と、液状化粧料３を収容し、その開口部４の外周面に雄ネジ部５を螺設する容器本体２とからなるものである。
【００２１】
そして、該キャップ６には、開口側内周面に上記開口部４の雄ネジ部５と螺合する雌ネジ部７を螺設した上で、その内部において本願発明の実施例１である液状化粧料塗布体８を保持するものである。
【００２２】
ここで、上記キャップ６において保持される実施例１の液状化粧料塗布体８は、根元に径大部１０を形成する軸部９と、該軸部９の軸線９’と同一平面上、その先端方向において、その内底面１２より垂直方向に形成され、軸部９の軸線９’の延長線上にある仮想軸線９”に沿って複数の櫛歯１３を並設してなる塗布部１１とから構成されるものである。
【００２３】
なお、実施例１の液状化粧料塗布体８では、上記軸部９の軸方向先端において形成される塗布部１１は、軸部９の仮想軸線９”を中心として線対称となるように位置させるので、上目蓋の睫毛に対して一方の塗布部１１を使用した後、下目蓋の睫毛に対して他方の塗布部１１を使用することで、持ち手を代えることなく上目蓋の塗布から下目蓋の塗布へと連続して作業することができるものである。
【００２４】
そして、該塗布部１１の内底面１２において並設される複数の櫛歯１３の全部において、塗布部１１の両端から中央へ向けて、塗布部１１の内底面１２へ正対して、塗布部１１の内底面１２上の軸部９の仮想軸線９”と櫛歯１３の幅方向との内角が鋭角を形成し、液状化粧料塗布方向後方に向かって拡開するように配置されるものである。
さらに、塗布部１１における複数の櫛歯１３の幅方向は、該塗布部１１において内底面１２上の仮想軸線９”の中央における垂線１４上の一の焦点１４’に対して収束してなるものである（図３、図４参照）。
【００２５】
本願発明の実施例１である液状化粧料塗布体８の塗布部１１は以上のようになっているので、塗布部１１における複数の櫛歯１３は、塗布部１１の中央を中心として左右対称に、塗布部１１の内底面１２において軸部９の仮想軸線９”に対して櫛歯１３の幅方向が形成する内角の鋭角は両端から中央に向かって順次大きくなるように配置されるものとなる。
その結果、多様な角度をもって放射状に生える睫毛であっても、塗布部１１の櫛歯１３はそれらの睫毛全体にも十分に対応して、睫毛の根元にまで入り込むことができるので、確実に梳かしつつ均一に、しかも迅速に液状化粧料３を塗布することができる。
【００２６】
その上、塗布部１１における複数の櫛歯１３が液状化粧料塗布方向後方に向かって拡開するよう配置されているので、液状化粧料３を塗布された睫毛は左右方向に拡開し、隣り合う睫毛同士が接着して束となってしまうことや、睫毛の末端まで櫛歯１３が追従して均一に液状化粧料３を塗布することでダマが形成されることを防止できるものである。
【実施例２】
【００２７】
図５及び図６において示すのは、本願発明の実施例２である液状化粧料３を塗布する液状化粧料塗布体８ａであり、該液状化粧料塗布体８ａは実施例１と同様に、キャップ６と容器本体２とからなる液状化粧料容器１のキャップ６内に保持されるものであって、該液状化粧料塗布体８ａも軸部９ａと該軸部９ａの軸線９ａ’と同一平面上、その先端方向に形成される塗布部１１ａとからなるものである。
そして、該塗布部１１ａも軸部９ａの仮想軸線９ａ”を中心として線対称となるように位置させるので、上目蓋の睫毛に対して一方の塗布部１１ａを使用した後、下目蓋の睫毛に対して他方の塗布部１１ａを使用することで、持ち手を代えることなく上目蓋の塗布から下目蓋の塗布へと連続して作業することができるものである。
【００２８】
しかしながら、本願発明の実施例２である液状化粧料塗布体８ａは、その塗布部１１ａにおける複数の櫛歯１３ａが相違しているものである。
すなわち、該塗布部１１ａの内底面１２ａにおいて並設されている複数の櫛歯１３ａの全部を、塗布部１１ａの一端から他端へ向けて、塗布部１１ａの内底面１２ａへ正対して、軸部９ａの仮想軸線９ａ”と櫛歯１３ａの幅方向との内角が鋭角を形成して液状化粧料塗布方向後方に向かって拡開するように配置し、しかも塗布部１１ａにおける複数の櫛歯１３ａの幅方向が、該塗布部１１ａにおいて内底面１２ａ上の他端に位置する仮想軸線９ａ”に対する垂線１４ａ上の一の焦点１４ａ’に対して収束してなるものである（図６参照）。
【００２９】
本願発明の実施例２である液状化粧料塗布体８ａの塗布部１１ａは以上のようになっているので、塗布部１１ａにおける複数の櫛歯１３ａは、塗布部１１ａの一端から他端にかけて徐々に軸部９ａの仮想軸線９ａ”と櫛歯１３ａ’の幅方向とが形成する内角の鋭角が大きなるように配置されるものとなる。
その結果、多様な角度をもって放射状に生える睫毛、特に目尻や目頭における部分的な睫毛に対して、塗布部１１ａは十分に対応して、睫毛の根元にまで入り込むことができるので、確実に梳かしつつ均一に、しかも迅速に液状化粧料３を塗布することができる。
【００３０】
その上、塗布部１１ａにおける複数の櫛歯１３ａが液状化粧料塗布方向後方に向かって拡開するよう配置されることで、液状化粧料３を塗布された目尻や目頭の部分的な睫毛は左右方向に拡開されるので、隣り合う睫毛同士が接着して束となってしまうことや、睫毛の末端まで櫛歯１３ａが追従して均一に液状化粧料３を塗布できるのでダマが形成されることを防止できるものである。
【実施例３】
【００３１】
図７及び図８において示すのは、本願発明の実施例３である液状化粧料３を塗布する液状化粧料塗布体８ｂであり、該液状化粧料塗布体８ｂは実施例１又は実施例２と同様に、キャップ６と容器本体２とからなる液状化粧料容器１のキャップ６内に保持されるものである。
そして、該液状化粧料塗布体８ｂも軸部９ｂと、該軸部９ｂの軸線９ｂ’と同一平面上、その先端方向に形成される塗布部１１ｂとからなり、該塗布部１１ｂも軸部９ｂの仮想軸線９ｂ”を中心として線対称となるように位置させるので、上目蓋の睫毛に対して一方の塗布部１１ｂを使用した後、下目蓋の睫毛に対して他方の塗布部１１ｂを使用することで、持ち手を代えることなく上目蓋の塗布から下目蓋の塗布へと連続して作業することができるものとなる。
【００３２】
しかしながら、本願発明の実施例３である液状化粧料塗布体８ｂは、その塗布部１１ｂにおける複数の櫛歯１３ｂが相違しているものである。
すなわち、上記塗布部１１ｂの内底面１２ｂにおいて並設される複数の櫛歯１３ｂの全部を、塗布部１１ｂの両端から中央へ向けて、塗布部１１ｂの内底面１２ｂへ正対して、軸部９の軸線９ｂと櫛歯１３ｂの幅方向との内角が鋭角を形成して液状化粧料塗布方向後方に向かって拡開するように配置し、しかも塗布部１１における複数の櫛歯１３ｂの幅方向が両端より順次、該塗布部１１ｂにおいて内底面１２ｂ上の仮想軸線９ｂ”における中央の垂線１４ｂ上の複数の焦点１４ｂ’に対して上方から下方の点へと順次対応するように収束するものである（図８参照）。
【００３３】
本願発明の実施例３である液状化粧料塗布体８ｂの塗布部１１ｂは以上のようになっているので、該液状化粧料塗布体８ｂにおける塗布部１１ｂの複数の櫛歯１３ｂは、両端から中央に向かって塗布部１１ｂにおける軸部９ｂの内底部１２における仮想軸線９ｂ”とのなす内角が鋭角であって、しかも同一の角度となるように配置されているものである。  その結果、放射状に生える多数の睫毛全体に対して櫛歯１３ｂは同時に対応するとともに、該塗布部１１ｂの櫛歯１３ｂは睫毛の根元にまで入り込むことができるので、確実に梳かしつつ均一に、しかも迅速に液状化粧料３を塗布することができるものとなる。
【００３４】
その上、塗布部１１ｂにおける複数の櫛歯１３ｂが液状化粧料塗布方向後方に向かって拡開するよう配置されているので、液状化粧料３を塗布された睫毛は左右方向に拡開されて隣り合う睫毛同士が接着して束となってしまうことや、睫毛の末端まで櫛歯１３ｂが追従して均一に液状化粧料３を塗布することによってダマが形成されることを防止できるものである。
特に、液状化粧料３を塗布した睫毛は左右方向に同一角度をもって拡開するものであって大きく放射状とはならないので、睫毛がある程度中央に集中するので、睫毛のボリュームを大きく見せる等の装飾性を向上させることができるものとなる。
【実施例４】
【００３５】
図９及び図１０において示すのは、本願発明の実施例４であるマスカラや睫毛美容液等の液状化粧料３を塗布する液状化粧料塗布体８ｃであり、該液状化粧料塗布体８ｃは実施例１乃至実施例３と同様に、キャップ６と容器本体２とからなる液状化粧料容器１のキャップ６内に保持されるものである。
そして、該液状化粧料塗布体８ｃも軸部９ｃと、該軸部９ｃの軸線９ｃ’と同一平面上、その先端方向に形成される塗布部１１ｃとからなり、該塗布部１１ｃも軸部９ｃの仮想軸線９ｃ”を中心として線対称となるように位置させるので、上目蓋の睫毛に対して一方の塗布部１１ｃを使用した後、下目蓋の睫毛に対して他方の塗布部１１ｃを使用することで、持ち手を代えることなく上目蓋の塗布から下目蓋の塗布へと連続して作業することができるものとなる。
【００３６】
しかしながら、本願発明の実施例４である液状化粧料塗布体８ｃは、その塗布部１１ｃにおける複数の櫛歯１３ｃが相違しているものである。
すなわち、該塗布部１１ｃは二つの部分１１ｃ’、１１ｃ”に分割されるものであって、該塗布部１１ｃのうち、塗布部１１ｃ’では、その内底面１２ｃにおいて並設される複数の櫛歯１３ｃを、塗布部１１ｃ’の一端から中央へ向けて、塗布部１１ｃ’の内底面１２ｃへ正対して、軸部９ｃの仮想軸線９ｃ”と櫛歯１３ｃの幅方向との内角が鋭角を形成して液状化粧料塗布方向後方に向かって拡開するように配置し、しかも塗布部１１ｃ’における複数の櫛歯１３ｃの幅方向が、該塗布部１１ｃ’において内底面１２ｃ上の軸線９ｃ’に対する中央の垂線上の一の焦点１４ｃ’に対して収束してなるものである（図１０参照）。
また、塗布部１１ｃの他の部分１１ｃ”では、その内底面１２ｃにおいて並設される複数の櫛歯１３ｃを、塗布部１１ｃ’の中央から他端へ向けて、塗布部１１ｃ’の内底面１２ｃへ正対して、軸部９ｃの仮想軸線９ｃ”と櫛歯１３ｃの幅方向との内角が直交するように配置してなるものである。
【００３７】
本願発明の実施例４である液状化粧料塗布体８ｃの塗布部１１ｃは以上のようになっているので、該液状化粧料塗布体８ｃにおける塗布部１１ｃの一部１１ｃ’における櫛歯１３ｃが、塗布部１１ｃ’の一端から中央にかけて徐々に軸部９ｃの仮想軸線９ｃ”と櫛歯１３ｃの幅方向とが形成する鋭角の角度を大きなるように配置されるものとなる（図１０参照）。
その結果、塗布部の一部１１ｃ’では、該塗布部１１ｃ’の櫛歯１３ｃは睫毛の根元にまで入り込むことができるので、確実に梳かしつつ均一に、しかも迅速に液状化粧料３を塗布することができるものとなる。
【００３８】
その上、塗布部１１ｃ’における複数の櫛歯１３ｃは液状化粧料塗布方向後方に向かって拡開するよう配置されているので、液状化粧料３を塗布された睫毛は左右方向に拡開されて睫毛同士が互いに接着して束となってしまうことや、睫毛の末端まで櫛歯１３ｃが追従して均一に液状化粧料３を塗布されてダマが形成されることをも防止できるものである。
【００３９】
さらに、一つの塗布部１１ｃにおいて複数の塗布部１１ｃ’、１１ｃ”、例えば軸部９ｃの仮想軸線９ｃ”と櫛歯１３ｃの幅方向との内角が直交を形成する部分と鋭角を形成する部分とからなるので、一つの塗布部１１ｃによって睫毛に対して液状化粧料３の多様な塗布を可能とすることができるものである。
【実施例５】
【００４０】
図１１及び図１２において示すのは、本願発明の実施例５である液状化粧料３を塗布する液状化粧料塗布体８ｄであり、該液状化粧料塗布体８ｄは実施例１乃至４と同様に、キャップ６と容器本体２とからなる液状化粧料容器１のキャップ６内に保持されるものであって、該液状化粧料塗布体８ｄも軸部９ｄの軸線９の先端方向に形成される塗布部１１ｄとからなるものである。
そして、該塗布部１１ｄも軸部９ｄの仮想軸線９ｄ”を中心として線対称となるように位置させるので、上目蓋の睫毛に対して一方の塗布部１１ｄを使用した後、下目蓋の睫毛に対して他方の塗布部１１ｄを使用することで、持ち手を代えることなく上目蓋の塗布から下目蓋の塗布へと連続して作業することができるものである。
【００４１】
しかしながら、本願発明の実施例５である液状化粧料塗布体８ｄは、その塗布部１１ｄ及び、該塗布部１１ｄにおける複数の櫛歯１３ｄが相違しているものである。
すなわち、まず、塗布部１１ｄは、塗布部１１ｄの軸線と軸部９ｄの仮想軸線９ｄ”とは同一平面上にはなく、櫛歯１３ｄの先端方向に凹陥するように湾曲しているものである。
次に、該塗布部１１ｄの内底面１２ｄにおいて並設されている複数の櫛歯１３ｄの全部を、塗布部１１ｄの両端から中心へ向けて、塗布部１１ｄの内底面１２ｄへ正対して、軸部９ｄの仮想軸線９ｄ”と櫛歯１３ａの幅方向との内角が鋭角を形成するように配置し、しかも塗布部１１ｄにおける複数の櫛歯１３ｄの幅方向が、該塗布部１１ｄにおいて内底面１２ｄ上に位置する仮想軸線９ｄ”に対する中央の垂線１４ｄ上の一の焦点１４ｄ’に対して収束してなるものである（図１２参照）。
【００４２】
本願発明の実施例５である液状化粧料塗布体８ｄの塗布部１１ｄは以上のようになっているので、塗布部１１ｄにおける複数の櫛歯１３ｄは、その幅方向が該塗布部１１ｄにおいて内底面１２ｄ上に位置する仮想軸線９ｄ’に対する垂線１４’上の一の焦点１４ｄ’に対して収束するように配置されるものとなる。
その結果、放射状に生える睫毛に対して、塗布部１１ａは十分に対応して、睫毛の根元にまで入り込むことができるので、確実に梳かしつつ均一に、しかも迅速に液状化粧料３を塗布することができる。
【００４３】
その上、塗布部１１ｄにおける複数の櫛歯１３ｄが睫毛の根元まで入り込むことができることで、睫毛は左右方向に拡開され、隣り合う睫毛同士が接着して束となってしまうことや、睫毛の末端まで櫛歯１３ｄが追従して均一に液状化粧料３を塗布してダマが形成されることを防止できるものである。
【符号の説明】
【００４４】
１    液状化粧料塗布容器
２    容器本体
３    液状化粧料
４    開口部
５    雄ネジ部
６    キャップ
７    雌ネジ部
８、８ａ、８ｂ、８ｃ、８ｄ    液状化粧料塗布体
９、９ａ、９ｂ、９ｃ、９ｄ    軸部
９’、９ａ’、９ｂ’、９ｃ’、９ｄ’  軸線
９”、９ａ”、９ｂ”、９ｃ”、９ｄ”  仮想軸線
１０    径大部
１１、１１ａ、１１ｂ、１１ｃ、１１ｃ’、１１ｃ”、１１ｄ    塗布部
１２、１２ａ、１２ｂ、１２ｃ、１２ｄ    内底面
１３、１３ａ、１３ｂ、１３ｃ、１３ｄ    櫛歯
１４、１４ａ、１４ｂ、１４ｃ、１４ｄ    垂線
１４’、１４ａ’、１４ｂ’、１４ｃ’、１４ｄ’    （垂線上の）焦点
【図１】
0006455777.tif 000002
【図２】
0006455777.tif 000003
【図３】
0006455777.tif 000004
【図４】
0006455777.tif 000005
【図５】
0006455777.tif 000006
【図６】
0006455777.tif 000007
【図７】
0006455777.tif 000008
【図８】
0006455777.tif 000009
【図９】
0006455777.tif 000010
【図１０】
0006455777.tif 000011
【図１１】
0006455777.tif 000012
【図１２】
0006455777.tif 000013